(57)【特許請求の範囲】
【請求項１】
音声を入力するためのハンドセットと、前記ハンドセットが持ち上げられたときに、入力される音声を録音する録音手段と、前記ハンドセットが持ち上げられたか否かを検出する検出手段と、前記検出手段により前記ハンドセットが持ち上げられたことを検出したとき、一定時間、前記録音手段の録音動作を禁止する禁止手段と、を備えたことを特徴とするＴＡＤ装置。
【請求項２】
前記一定時間は、０．５〜１秒である請求項１記載のＴＡＤ装置。
【発明の詳細な説明】
【０００１】
【発明の属する技術分野】
本発明は、ＴＡＤ装置に関するものである。
【０００２】
【従来の技術】
ＴＡＤ装置（留守番電話装置）は、一般に、留守中等に掛かってきた電話に対して、予め録音しておいた応答用メッセージを送出した後、相手方のメッセージを録音する機能を有しているものである。また、これとは別に、いわゆる伝言メッセージを録音する機能を有しているものもある。
【０００３】
これらの機能を付与されたＴＡＤ装置は、応答用メッセージや伝言メッセージ等のメッセージを録音するための録音手段を備えている。この録音手段は、通常、録音ボタン等の操作によって録音開始の指令が送られると、ハンドセットのマイクロホンから入力されたメッセージを音声信号として録音するものである。
【０００４】
【発明が解決しようとする課題】
しかしながら、このような録音手段では、録音ボタン等の操作によって録音開始の指令が送られると直ちに録音モードに切り換えられ、録音が開始されるために、ハンドセットを持ち上げるときの雑音がメッセージの初期に録音される問題があった。
【０００５】
そこで、ハンドセットを持ち上げるときの雑音を録音しないために、録音開始の指令が送られた後、実際に録音を開始する際にビープ音を鳴らして作業者に録音可能である状態になったことを知らせるＴＡＤ装置も提案されているが、この技術では、ビープ音が鳴る前に吹き込まれたメッセージは録音されず、再生したときにメッセージの開始部が聞き取れない問題があった。また、ビープ音によって作業者に録音可能状態を知らせると、ハンドセットを持ち上げてからメッセージを吹き込むまでに予め録音開始までの設定された時間を作業者が待つこととなり、作業のペースを乱す問題もあった。
【０００６】
本発明の目的は、応答用メッセージや伝言メッセージ等のメッセージを録音する際に、ハンドセットを持ち上げるときの雑音の録音を防止することができ、かつ、メッセージの開始部を録音しそこねることがないＴＡＤ装置を提供することにある。
【０００７】
【課題を解決するための手段】
上記目的を達成するために、請求項１の発明は、音声を入力するためのハンドセットと、 前記ハンドセットが持ち上げられたときに、入力される音声を録音する録音手段と、前記ハンドセットが持ち上げられたか否かを検出する検出手段と、前記検出手段により前記ハンドセットが持ち上げられたことを検出したとき、一定時間、前記録音手段の録音動作を禁止する禁止手段と、を備えたことを特徴とするＴＡＤ装置である。また、請求項２の発明は、上記一定時間が０．５〜１秒である請求項１記載のＴＡＤ装置である。
【０００８】
【発明の実施の形態】
以下、本発明のＴＡＤ装置の一実施形態について、図面を参照しながら説明するが、本発明はこれらに限定されるものではない。
【０００９】
図１は、本発明のＴＡＤ装置のブロック図である。図１において、ハンドセット１１には、マイクロホン１１２とスピーカー１１１とが設けられている。また、ハンドセット１１が設置された部分には、本発明の検出手段としてのフックスイッチ２０が設けられており、ハンドセット１１が持ち上げられたか否かの信号を制御部１２に送り、スイッチ１１４，１１７を制御する。
【００１０】
本実施形態においては、録音されるメッセージ等の音声信号は、ハンドセット１１に設けられたマイクロホン１１２により入力される。入力された音声信号は、増幅器１１３により増幅された後、アナログ／デジタル（Ａ／Ｄ）変換器１１５によってデジタル信号に変換され、その後、符号部１２で符号化されて制御部１４のＤＲＡＭ１８に録音される。
【００１１】
制御部１４は、一連の信号処理を制御しているものであり、その内部には、ＣＰＵ１５、ＲＯＭ１６、ＥＥＰＲＯＭ１７、ＤＲＡＭ１８が格納されており、それぞれ内部バスで繋がれている。この制御部１４によりすべての手段は管理されている。ＲＯＭ１６には、通話モード、録音モード等の各モードにおけるプログラムや、留守番電話の固定メッセージ等が記録、保管されており、ＣＰＵ１５でのすべての判断は、ここに記録されているプログラムに従って行われる。
【００１２】
制御部１４に格納されたＣＰＵ１５、ＲＯＭ１６、ＥＥＰＲＯＭ１７、ＤＲＡＭ１８は、操作部１９にも繋がれており、操作部１９による指令が内部バスを通って伝達される。操作部１９には、録音ボタン（図示せず）が設けられており、この録音ボタンが押下されると、通常の通話モードから録音モードに切り換えられる。録音モードになると、ハンドセット１１のマイクロホン１１２から入力された音声信号は、上述したように、Ａ／Ｄ変換器によりデジタル信号に変換されて、符号化された後、ＤＲＡＭ１８に録音される。このとき、ハンドセット１１を持ち上げる際に発する雑音を録音しないために、録音ボタン押下直後には録音を開始せず、一定時間経過後に録音を開始する。この一定時間は、上記ハンドセット１１が持ち上げられる際に発する雑音を録音しないために必要な時間よりも長く、かつ、メッセージの開始部を録音できなくなる時間よりも短い時間で適宜設定される。
【００１３】
ＤＲＡＭ１８に記録された音声信号を再生する場合、符号化された音声信号は、まず、復号部１３を経て復号化される。その後、デジタル／アナログ（Ｄ／Ａ）変換器１１６を経ることによりアナログ信号に変換され、スイッチ１１７、増幅器１１８を経て、スピーカー１１１から出力される。
【００１４】
本実施形態においては、ハンドセット１１を持ち上げる際の雑音を録音しないために、一定時間、録音が禁止される。つまり、ハンドセットが持ち上げられてから一定時間を経過した後に録音を開始するような録音の制御が行われる。録音モードにおけるこの録音の制御について、図２に示したフローチャートを用いて説明する。
【００１５】
まず、録音ボタンが押下状態にあるか否かが判断される（Ｓ１）。録音ボタンが押下状態にない場合には（Ｓ１：ＮＯ）、本発明のＴＡＤ装置は、録音使用状態にはないので、録音及び録音制御を行う必要はない。録音ボタンが押下状態にある場合には（Ｓ１：ＹＥＳ）、録音及び録音制御を行うために、次のステップに進む。
【００１６】
次に、ハンドセットが持ち上げられたか否かを判断する（Ｓ２）。持ち上げられていない場合には（Ｓ２：ＮＯ）、録音及び録音制御は行う必要がないので、再びハンドセットが持ち上げられるまでＳ２の判断を続ける。ハンドセットが持ち上げられた場合には（Ｓ２：ＹＥＳ）、ハンドセットが持ち上げられてから一定時間が経過したか否かを判断する（Ｓ３）。このときの一定時間は、ハンドセットが持ち上げられる際に発する雑音を録音しないために必要な時間よりも長く設定されたものであり、具体的には、請求項２の発明のように、０．５〜１秒の間で設定される。本実施形態においては、この一定時間を０．５秒とした。
【００１７】
ハンドセットが持ち上げられてから一定時間が経過していない場合には（Ｓ３：ＮＯ）、録音は開始されず、一定時間を経過した場合のみ（Ｓ３：ＹＥＳ）、録音を開始する（Ｓ４）。ここで設定された一定時間は、ハンドセットが持ち上げられる際に発する雑音を録音しない範囲内ではあるが、非常に短い時間であるので、メッセージの開始部を録音しそこねることなく、録音を行うことが可能である。
【００１８】
ついで、ハンドセットが所定位置に戻されたのか、すなわちダウンされたのか否かを判断し（Ｓ５）、ハンドセットがダウンされた場合には（Ｓ５：ＮＯ）、そのまま録音を終了し、ハンドセットがダウンされていない場合には（Ｓ５：ＹＥＳ）、録音が継続される。本実施形態においては、録音終了の指令は、ハンドセットがダウンされたか否かを判断することにより行っているが、ハンドセットがダウンされない場合であっても、録音可能時間として設定された時間を経過した場合には、録音を終了するものであってもよい。
【００１９】
【発明の効果】
請求項１のＴＡＤ装置によれば、ハンドセットに設けられたマイクロホンから入力されたメッセージを録音する際において、作業者がハンドセットを持ち上げるのに要する時間を考慮して、録音指令が送られてから録音開始までに一定時間の録音禁止時間を設けることによって、ハンドセットが持ち上げられる際に発するガチャガチャといった雑音を録音することがない。ここで設定される一定時間は、ハンドセットが口に接近するまでの時間よりも長く、かつ、音声入力が開始されるよりも短い時間であるので、メッセージ開始部を途切れさせることなく、メッセージを録音することが可能である。
【００２０】
また、請求項２のＴＡＤ装置によれば、ハンドセットが持ち上げられてから録音を開始するまでの一定時間を０．５〜１秒としているので、作業者がハンドセットを持ち上げてからメッセージを吹き込むまでの時間内では録音を待機することができ、ハンドセットが持ち上げられる際に発する雑音を録音することなく、メッセージを録音することができる。
【図面の簡単な説明】
【００２１】
【図１】本発明のＴＡＤ装置の一実施形態を示すブロック図である。
【図２】本発明のＴＡＤ装置における録音モードの処理を示すフローチャートである。
【符号の説明】
【００２２】
１１ ハンドセット
１４ 制御部
１５ ＣＰＵ
１６ ＲＯＭ
１８ ＤＲＡＭ
２０ フックスイッチ
【図１】
0003890663.tif 000002
【図２】
0003890663.tif 000003